(57)【要約】【課題】施設の多目的利用に適した映像装置を提供する。【解決手段】映像装置３２は、中央スペース１１の外側に観客席を有するアリーナ施設１に設けられる。映像装置３２は、中央スペース１１より上方に配置され、水平方向に移動可能且つ平面内で回転可能である。アリーナ施設１では、中央スペース１１の端部側に多層建築物１５が設けられ、映像装置３２は、中央スペース１１の中央部と上記端部の間を水平方向に移動可能となっている。【選択図】図１
2019052459.tif 000002
【特許請求の範囲】
【請求項１】
スペースの外側に観客席を有する施設に設けられる映像装置であって、
前記スペースより上方に配置され、水平方向に移動可能なことを特徴とする映像装置。
【請求項２】
前記映像装置は、発光により映像を表示するディスプレイ装置であることを特徴とする請求項１記載の映像装置。
【請求項３】
平面内で回転可能なことを特徴とする請求項１または請求項２記載の映像装置。
【請求項４】
前記映像装置の映像表示面が、水平方向に開くことが可能であることを特徴とする請求項１から請求項３のいずれかに記載の映像装置。
【請求項５】
前記スペースの端部側には多層建築物が設けられ、
前記映像装置は、前記スペースの中央部から前記スペースの端部側に向かって水平方向に移動可能であることを特徴とする請求項１から請求項４のいずれかに記載の映像装置。
【発明の詳細な説明】
【技術分野】
【０００１】
本発明は、アリーナ施設等の映像装置に関する。
【背景技術】
【０００２】
バスケットやバレー等、様々な屋内スポーツのプロ化に伴い、競技スペースの外側に多数の観客席を設けた体育館（アリーナ）が全国に建設されている。
【０００３】
このようなアリーナは、競技スペースの周りを観客席が取り囲んだ構成となっており、施設の運営を事業的に成り立たせるため、観客席の多さや競技スペースの広さを生かしていろいろなイベントに活用できる多目的アリーナとなっていることが多い。
【０００４】
競技スペースの中央部の上方には、スポーツを行う際に周囲の観客席から観ることができる大型の映像装置が設置される場合がある（例えば特許文献１参照）。このような映像装置は、一般的には平面矩形状のボックス型の形状を有し、外周の４面を映像表示面としている。
【先行技術文献】
【特許文献】
【０００５】
【特許文献１】特開平9-67951号公報
【発明の概要】
【発明が解決しようとする課題】
【０００６】
しかしながら、上記の映像装置は、多目的アリーナをイベント等に利用する場合に必ずしもその利用形態に適した配置にはなっていない。例えばコンサート等のエンドステージ型のイベントを行う際は、映像装置の位置や向きがステージや観客席の配置に適しておらず、観客席からの視線障害にならない位置に吊り上げるか外すかされて、大変高価な設備にも関わらず利用頻度の少ないものとなっている。
【０００７】
本発明は上記の問題に鑑みてなされたものであり、施設の多目的利用に適した映像装置を提供することを目的とする。
【課題を解決するための手段】
【０００８】
前述した課題を解決するための本発明は、スペースの外側に観客席を有する施設に設けられる映像装置であって、前記スペースより上方に配置され、水平方向に移動可能なことを特徴とする映像装置である。
【０００９】
本発明では、スタジアムやアリーナ、コンサート会場、競技場などのスペースの外側に観客席を有する施設において、スペースの上方の映像装置が水平移動可能に設置される。そのため、施設をスポーツ等に利用する場合には映像装置をスペースの中央部の上方に配置し、施設をエンドステージ型のコンサート等のイベントに利用する場合には映像装置をスペースの端部の上方に移動させるなどして、映像装置を施設の利用形態に応じて移動させて用いることができる。このように施設の利用形態に応じた映像装置の有効利用を図ることで、施設の多目的利用の可能性を拡げることができる。
【００１０】
前記映像装置は、発光により映像を表示するディスプレイ装置である。
施設のスポーツ利用時には上記のディスプレイ装置で競技シーンなどを鮮明に表示し、これを観客が楽しむことができるが、本発明ではこのようなディスプレイ装置を水平方向に移動可能とすることでスポーツ以外の利用形態にも適した映像装置とできる。
【００１１】
前記映像装置は平面内で回転可能なことが望ましい。
これにより、映像装置の主要な映像表示面を施設の利用形態に応じた向きに合わせることができる。
【００１２】
前記映像装置の映像表示面が、水平方向に開くことが可能であることも望ましい。
これにより、映像装置において、施設の利用形態に応じた特定の向きの映像表示面を大きくすることが可能になる。
【００１３】
前記スペースの端部側には多層建築物が設けられ、前記映像装置は、前記スペースの中央部から前記スペースの端部側に向かって水平方向に移動可能であることが望ましい。
この場合、多層建築物を商業ビルなどとして運用することでスポーツやイベント等の非開催時など日常においても施設を活用でき、映像装置を多層建築物側に移動させることで当該多層建築物の来客者が映像を楽しめるようにできる。
【発明の効果】
【００１４】
本発明により、施設の多目的利用に適した映像装置を提供することができる。
【図面の簡単な説明】
【００１５】
【図１】アリーナ施設１を示す図。
【図２】アリーナ施設１を示す図。
【図３】アリーナ施設１の梁部２１、２２、２３、２４等を示す斜視図。
【図４】映像装置３２を示す図。
【図５】アリーナ施設１を示す図。
【図６】ステージ５０を示す図。
【図７】映像装置３２ａを示す図。
【発明を実施するための形態】
【００１６】
以下、図面に基づいて本発明の好適な実施形態について詳細に説明する。
【００１７】
図１、２は本発明の実施形態に係る映像装置３２を有するアリーナ施設１を示す図である。図１、２の（ａ）はアリーナ施設１の平面を示す図であり、（ｂ）は中央スペース１１の長辺方向に沿った鉛直面の構成を示す図である。図１は可動観客席１６を収納した状態、図２は可動観客席１６を引き出した状態を示している。また図３はアリーナ施設１の梁部２１、２２、２３、２４等を示す斜視図である。
【００１８】
図１に示すように、アリーナ施設１は、中央スペース１１をその外側の固定観客席１２、１３、１４（固定された観客席）および多層建築物１５で囲んだ構成を有する多目的アリーナである。
【００１９】
中央スペース１１は、競技場やトラックなどのスポーツ目的で使用可能な略長方形状平面の平土間部分（競技スペース）である。中央スペース１１は、コンサートなどのイベントにも使用することができる。
【００２０】
固定観客席１２、１３、１４は、中央スペース１１から外側に離れるに従って高くなるように、中央スペース１１を中心としてすり鉢状に形成された観客席である。なお、外側とは中央スペース１１から遠い側を指すものとする。その逆は内側という。
【００２１】
固定観客席１４は中央スペース１１の床レベルから所定高さのスタンド上に設けられ、中央スペース１１の周囲に配置される。固定観客席１２、１３および多層建築物１５は固定観客席１４の外側に配置され、このうち固定観客席１２、１３は上記のスタンドよりさらに高いスタンド上に設けられる。
【００２２】
固定観客席１２は中央スペース１１の長辺方向に沿って配置される。固定観客席１３と多層建築物１５は中央スペース１１の短辺方向に沿って配置される。多層建築物１５は中央スペース１１の長辺方向の一方の端部側に設けられ、その反対側には固定観客席１３が設けられる。
【００２３】
固定観客席１４の下方のスタンド内には可動観客席（移動可能な観客席）が収納されており、例えば中央スペース１１をバスケットボールなどの競技に使用する場合に中央スペース１１の周囲の床レベルに引き出して用いられる（図２の符号１６参照）。
【００２４】
多層建築物１５はアリーナ施設１と一体に設けられた上下複数層のフロアからなる建築物であり、その中央スペース１１側には、上下複数層のバルコニー席１５１（観客席）が設けられる。
【００２５】
多層建築物１５は、地域のニーズに合わせて、各フロアにレストラン、各種のショップ、観光施設、スポーツジム、ファンのクラブハウス等のテナントを組み込んだ商業ビルとして用いられ、アリーナ施設１内でスポーツやイベントなどが行われている場合は、バルコニー席１５１から例えば食事をしながらオペラ劇場のようにスポーツやイベントを楽しむことができる。一方、多層建築物１５は、スポーツやイベントの非開催時、あるいはイベントの仕込み時や撤去作業時などの日常においてもアリーナ施設１と関連した商業ビルとして運用できる。そのため、1年を通してアリーナ施設１を利用することができ、積極的な市民利用を促進し運営上も利点が大きい。
【００２６】
また、多層建築物１５は、観客席としての価値が比較的低く、キャパシティーを優先しない中央スペース１１の長辺方向の端部の外側のエリアに設けることで、メインとなる価値の高い中央スペース１１の長辺方向に沿った観客席を残してアリーナ施設１全体の観客席価値を維持することができる。
【００２７】
アリーナ施設１は、さらに、４種類の梁部２１、２２、２３、２４の上に屋根材２０を設けて構成された大屋根架構を有している。このうち梁部２１、２２についてはその平面位置を図１（ａ）、図２（ａ）の点線で図示している。
【００２８】
梁部２１は、固定観客席１４の中央スペース１１の長辺側の境界部の上方に設けられる大スパンの梁である。梁部２１は、平面視において、中央スペース１１を挟んで対向する位置にある境界部のそれぞれに沿って配置される。
【００２９】
梁部２１は箱型の形状を有し、側面にはトラス材（斜材）が設けられる。梁部２１の一方の端部は多層建築物１５に接続され、反対側の端部は柱部２５によって支持される。柱部２５は、固定観客席１２の長手方向の端部と、固定観客席１３の外側の端部の間に設けられる。
【００３０】
梁部２２は、一対の梁部２１の長手方向の中央部間を結ぶように架け渡される。梁部２２も梁部２１と同様、箱型の形状を有し、側面にはトラス材が設けられる。なお、梁部２１、２２の側面のトラス材は省略可能である。
【００３１】
梁部２３は、一対の梁部２１間を結ぶように架け渡される立面トラス状の梁である。梁部２３は、梁部２２の両側において、梁部２１の長手方向に間隔を空けて複数配置される。
【００３２】
梁部２４は、両梁部２１の外側の固定観客席１２、１４の上方に架設される梁であり、両梁部２１から外側に延びるように設けられる。梁部２４は例えばH型鋼などの単一材であり、梁部２１の長手方向に間隔を空けて複数配置される。
【００３３】
梁部２１、２２には、中央スペース１１を演出空間として演出する際に関係者が入れるように、人が移動するための床２１１、２２１（図３のグレー部分参照）が設けられる。床２１１、２２１にはエキスパンドメタル等を用いることができるが、特に限定されない。
【００３４】
本実施形態では柱部２５も箱型の形状を有し、人が昇降して梁部２１に移動できるようになっている。この柱部２５も、中央スペース１１の演出のために関係者が入れるように、人が移動するための床２５１（図３のグレー部分参照）を有する。柱部２５および上記の梁部２１、２２はバックステージツアー等に活用することも可能である。
【００３５】
梁部２１、２２、柱部２５、および前記した多層建築物１５の中央スペース１１側の部分には、中央スペース１１の演出に用いる演出装置を設けることができる。演出装置は例えば照明やプロジェクター、音響機器などであり、関係者の操作によって演出を行うことができる。これらの演出装置により、中央スペース１１の多様な演出を可能とする演出機能を梁部２１等に持たせることができる。演出装置の他には、撮影用のカメラなども設けることができる。
【００３６】
図１、２の（ｂ）には演出装置の例として照明３０を示しており、照明３０を梁部２１や多層建築物１５の中央スペース１１側の部分、および梁部２２や柱部２５の各所に配置することで、中央スペース１１等を様々な方向から照らすことができる。
【００３７】
本実施形態では、演出装置としてさらに映像装置３２も設けられ、競技シーンなどの映像が表示される。映像装置３２は、アリーナ施設１の屋根架構から吊り下げられ、中央スペース１１の床レベルより上方に配置される大型の映像装置である。映像装置とはその映像表示面に映像が表示される装置をいい、本実施形態では発光することにより映像表示面に自ら映像を表示するLED(light emitting diode)ディスプレイなどのディスプレイ装置が用いられる。
【００３８】
映像装置３２は平面矩形状のボックス型の形状を有し、外周の４面のそれぞれを映像表示面３２１とする。本実施形態では映像装置３２の平面が長方形状であり、長辺方向に沿った映像表示面３２１が面積の大きい主要な映像表示面３２１となる。
【００３９】
図４は映像装置３２を示す図である。映像装置３２は、図４の矢印ａに示すようにメンテナンス等のために上下移動可能であるとともに、矢印ｂに示すように水平方向に移動することも可能である。
【００４０】
そのため、本実施形態では、水平方向のレール３４に沿って移動する移動台３３からワイヤ３５によって取付板３７を吊り下げ、この取付板３７に映像装置３２を取付けた構成とする。ワイヤ３５の巻き出し、巻き取りによって映像装置３２が上下することが可能であり、レール３４に沿って移動台３３が移動することで映像装置３２が水平方向に移動可能である。レール３４は梁部２２、２３、および多層建築物１５に取付けるなどして中央スペース１１の中央部と多層建築物１５との間に設けられる（図３参照）。
【００４１】
さらに本実施形態では、映像装置３２がベアリング等の回転部３６を介して取付板３７に取付けられており、図４の矢印ｃに示すように映像装置３２が平面内で回転可能になっている。回転角度は特に限定されないが、本実施形態では少なくとも90度回転可能できるようにし、映像装置３２の長辺方向の映像表示面３２１と短辺方向の映像表示面３２１の向きを入替可能とする。
【００４２】
本実施形態では、アリーナ施設１のスポーツ利用時には図１（ａ）、（ｂ）に示すように映像装置３２を中央スペース１１の中央部に配置してその長辺方向を中央スペース１１の長辺方向に合わせ、主要な映像表示面３２１をメインとなる中央スペース１１の長辺方向の観客席に向けて観戦に適した状態とする。
【００４３】
一方、スポーツやイベントの非開催時、あるいはイベントの仕込み時や撤去作業時などの日常利用時には、図５（ａ）、（ｂ）に示すように映像装置３２を中央スペース１１の多層建築物１５側の端部に向かって移動させ、その長辺方向を中央スペース１１の短辺方向に合わせ、主要な映像表示面３２１を多層建築物１５側に向けて多層建築物１５の来客者が映画、広告、パブリックビューイングなどの映像を楽しむのに適した状態とすることができる。
【００４４】
また、映像装置３２は、これらの利用形態における映像装置３２の見やすさ、演出面等を考慮して上下させ、適切な高さに配置することが可能である。
【００４５】
本実施形態では、図６のように中央スペース１１の多層建築物１５側の端部にステージ５０を設置可能となっており、コンサート等のイベントの際に中央スペース１１に観客を収容するとともに、中央スペース１１の長辺方向の観客席を生かして観客席数を多く確保したエンドステージ型の運用を行うことができる。この時、映像装置３２をステージ５０の上方に移動して長辺方向を中央スペース１１の短辺方向に合わせ、コンサート映像などを表示する主要な映像表示面３２１をステージ５０に向いた観客から見やすい配置とすることができる。
【００４６】
図１、２等の４０は、多層建築物１５の外側に隣接して設けられる多目的広場であり、各種のイベント等が行われる。多層建築物１５の外側はガラスやバルコニー、テラス等によって多目的広場４０に向かっての眺望が確保され、多目的広場４０側に開かれた印象を与える。この多目的広場４０と多層建築物１５を一体となって運用することで、空間の魅力を高め、１年を通した賑わい形成に寄与する。
【００４７】
以上説明したように、本実施形態では、アリーナ施設１において、中央スペース１１の上方の映像装置３２が水平移動可能に設置される。そのため、アリーナ施設１をスポーツ等に利用する場合には映像装置３２を中央スペース１１の中央部の上方に配置し、アリーナ施設１をエンドステージ型のコンサート等のイベントに利用する場合には映像装置３２を中央スペース１１の端部の上方に移動させるなどして、映像装置３２を施設の利用形態に応じて移動させて用いることができる。このようにアリーナ施設１の利用形態に応じた映像装置３２の有効利用を図ることで、例えば年間数十日のプロスポーツ開催時でしか利用し難かった大型の映像装置３２をエンドステージ型のコンサート等のイベントにも活用でき、アリーナ施設１の多目的利用の可能性を拡げるとともに、イベント誘致を促進できる装備となる。
【００４８】
アリーナ施設１のスポーツ利用時には本実施形態の映像装置３２のようなディスプレイ装置で競技シーンなどを鮮明に表示し、これを観客が楽しむことができるが、本実施形態ではこのようなディスプレイ装置を水平方向に移動可能とすることでスポーツ以外の利用形態にも適した映像装置とできる。
【００４９】
また本実施形態では、映像装置３２が平面内で回転可能なので、映像装置３２の主要な映像表示面３２１を施設の利用形態に応じた向きに合わせることができる。
【００５０】
さらに本実施形態では、中央スペース１１の長辺方向の端部側に多層建築物１５が設けられ、映像装置３２は、中央スペース１１の中央部から上記端部に向かう方向（およびその逆方向）に水平移動可能となっている。多層建築物１５は商業ビルなどとして運用することでスポーツやイベント等の非開催時などの日常においても施設を活用でき、映像装置３２を多層建築物１５側に移動させて当該多層建築物１５の来客者が映像を楽しめるようにすることで、最低限の動きで高い効果を得ることができる。
【００５１】
このように、本実施形態の映像装置３２は、観客席配置の工夫との組み合わせにより、スポーツやイベントの無い日やスポーツやイベントの準備や撤去等の時間においても日常的に利用できる。結果、映像装置３２が日常の施設利用をも促す装備となり、常ににぎわいを絶やさない多目的アリーナとして、アリーナ施設１の価値を大きく高めることができる。
【００５２】
しかしながら、本発明はこれに限らない。例えば本実施形態では多層建築物１５を有するアリーナ施設１の例を説明したが、本実施形態の映像装置３２の適用対象はこれに限らず、中央スペース１１とその外側の観客席を有する施設であればよい。例えば前記したアリーナ施設１以外にも各種のスタジアムやコンサート会場、競技場などの施設に適用可能である。具体的な観客席構成も特に限定されず、多層建築物１５を省略してその代わりに固定観客席１３と同様の固定観客席を設けることも可能である。
【００５３】
また、施設や観客席構成の違い、施設の利用形態などに応じて映像装置３２が水平方向に移動する際の動線も異なり、本実施形態のように中央スペース１１の中央部から端部に移動するものに限定されることはない。また場合によっては映像装置３２として自ら発光しないスクリーン等を用いることも可能である。
【００５４】
映像装置の形状や構成も特に限定されず、水平移動可能であればよい。例えば図７の映像装置３２ａは略正方形状の平面を有し、矢印ａ、ｂに示すように上下移動と水平移動が可能であるが、この映像装置３２ａは、さらに、外周の４つの映像表示面３２１のうちレール３４を挟んで対向する位置にある２つの映像表示面３２１を、図示しないジャッキ等を用いて矢印ｄに示すように水平方向の一方に開き、当該２つの映像表示面３２１とその間にある映像表示面３２１でひとつの連続する大きな映像表示面を構成できる。そのため、図５に示すように映像装置３２ａを中央スペース１１の長辺方向の端部に移動させたときに上記大きな映像表示面を多層建築物１５側に形成し、更に大きな映像面で映像が楽しめるようになっている。
【００５５】
図７の例では前記の回転部３６が省略されるが、映像装置３２ａに前記と同様に回転部３６を設け、平面内で少なくとも180度回転可能な構成とすることにより、図６に示すようにステージ５０の上方に映像装置３２ａを配置した時に上記大きな映像表示面を多層建築物１５側とは逆の中央スペース１１側に形成し、エンドステージ型のイベントの際に観客の方向に向けることができる。
【００５６】
また、図７の例ではレール３４を挟んで対向する位置にある２つの映像表示面３２１を水平方向の一方に開く構成となっているが、さらに矢印ｄ’に示すように反対側にも開くことができる構成としてもよく、この場合も上記と同様の効果が得られる。
【００５７】
このように、映像装置３２ａの映像表示面３２１を水平方向に開くことを可能とすることで、施設の利用形態に応じた特定の向きの映像表示面を大きくすることが可能になる。
【００５８】
以上、添付図面を参照して、本発明の好適な実施形態について説明したが、本発明は係る例に限定されない。当業者であれば、本願で開示した技術的思想の範疇内において、各種の変更例または修正例に想到し得ることは明らかであり、それらについても当然に本発明の技術的範囲に属するものと了解される。
【符号の説明】
【００５９】
１：アリーナ施設
１１：中央スペース
１２、１３、１４：固定観客席
１５：多層建築物
１６：可動観客席
２０：屋根材
２１、２２、２３、２４：梁部
２５：柱部
３０：照明
３２：映像装置
３３：移動台
３４：レール
３５：ワイヤ
３６：回転部
３７：取付板
４０：多目的広場
５０：ステージ
１５１：バルコニー席
２１１、２２１、２５１：床
３２１：映像表示面
【図１】
2019052459.tif 000003
【図２】
2019052459.tif 000004
【図３】
2019052459.tif 000005
【図４】
2019052459.tif 000006
【図５】
2019052459.tif 000007
【図６】
2019052459.tif 000008
【図７】
2019052459.tif 000009